(57)【要約】      （修正有）【課題】長手方向における一端側に装着対象側を向くように配置される係止部と、長手方向における他端側に装着対象と反対側を向くように配置される係止部とを有する吸収性物品を含むように構成される介護システムを提供することを目的とする。【解決手段】尿パッド１００の長手方向における一端側に配置される出力端子部に取り付けられた入力端子２５０には、装着者側を向くように配置される第１係止部が配置される。また、尿パッド１００の長手方向における他端側であって、装着者側と反対側の面には第２係止部が配置される。尿パッド１００が、第１係止部が装着者の胴回りに装着された帯状部材３００に係止され、第２係止部が尿パッド１００を覆うように配置されるアウター部材４００の内面に係止された状態で、介護システムに用いられる。【選択図】図５
2008272047.tif 000002
【特許請求の範囲】
【請求項１】
排泄部を有する装着対象に前記排泄部を覆うように配置される縦長状の吸収性物品と、
前記吸収性物品に接続され前記排泄部から排泄される液体を排出可能なチューブと、
前記チューブに接続され前記吸収性物品から排出される前記液体を収容可能な容器と、
前記チューブに直接又は間接的に連結され、前記液体を前記容器に送液させるポンプと、
前記吸収性物品に配置され、該吸収性物品に前記液体が排泄されたことを検知するセンサと、
前記吸収性物品に配置され前記センサによる検知結果情報を出力する出力端子と、
前記出力端子に接続され前記検知結果情報が入力される入力端子と、
前記入力端子に入力された前記検知結果情報により前記ポンプを制御する制御手段と、
を備えるシステムであって、
前記出力端子は、前記吸収性物品の長手方向における一端側に配置され、
前記入力端子には、前記出力端子に接続された状態において前記装着対象側を向く第１係止部が配置され、
前記吸収性物品における他端側には、該吸収性物品における前記装着対象側と反対側の面に第２係止部が配置される介護システム。
【請求項２】
前記装着対象の外周に沿うように環状に配置される帯状部材と、
前記吸収性物品を覆うように配置されるアウター部材と、を更に備え、
前記第１係止部は、前記帯状部材に係止され、
前記第２係止部は、前記アウター部材に係止される請求項１に記載の介護システム。
【請求項３】
請求項１又は２に記載の介護システムに用いられる吸収性物品であって、
前記排泄部から排泄される液体を排出可能なチューブが接続される接続部と、
該吸収性物品に前記液体が排泄されたことを検知するセンサと、
前記センサによる検知結果情報を出力する出力端子であって該吸収性物品の長手方向における一端側に配置される出力端子と、
前記吸収性物品における他端側であって前記装着対象側と反対側の面に配置される第２係止部と、を備える吸収性物品。
【請求項４】
前記出力端子には、第１係止部が配置される入力端子が接続可能であり、
前記入力端子が前記出力端子に接続された状態において、前記第１係止部は、前記装着対象側を向いて配置される請求項３に記載の吸収性物品。
【請求項５】
排泄部を有する装着対象の外周に沿うように環状に配置される帯状部材と、
前記装着対象に前記排泄部を覆うように配置される縦長状の吸収性物品と、
前記吸収性物品を覆うように配置されるアウター部材と、
前記吸収性物品の長手方向における一端側に連結され、前記帯状部材に係止される第１係止を有する係止部材と、を備えるシステムであって、
前記吸収性物品の前記長手方向における他端側であって前記アウターシート側に配置される面には、前記アウター部材に係止される第２係止部が配置される吸収性物品システム。
【請求項６】
前記係止部材は、前記吸収性物品の前記長手方向における一端側に前記第１係止部が前記帯状部材側を向くように連結され、
前記第１係止部は、前記帯状部材に係止され、
前記吸収性物品における第２係止部は、前記アウター部材に係止され、
前記第２係止部により前記アウター部材に係止された吸収性物品は、前記装着対象に前記排泄部を覆うようにして配置され、
前記アウター部材は、第２係止部材により該アウター部材に係止される吸収性物品を覆うようにして配置される請求項５に記載の吸収性物品システム。
【請求項７】
請求項５又は６の吸収性物品システムに用いられる吸収性物品であって、
該吸収性物品の長手方向における一方側の端部に配置され、前記第１係止部が前記装着対象側に配置されるよう前記係止部材が連結される連結部と、
該吸収性物品の前記長手方向における他端側であって前記アウターシート側に配置され第２係止部と、を備える吸収性物品。
【請求項８】
排泄部を有する装着対象に前記排泄部を覆うように配置される縦長状の吸収性物品であって、
該吸収性物品は、装着状態において前記装着対象側に配置される第１面と、前記装着対象と反対側に配置される第２面とを有し、
前記第１面における前記吸収性物品の長手方向における一端側には、第１係止部が配置され、
前記第２面における前記長手方向の他端側には、第２係止部が配置される吸収性物品。
【請求項９】
該吸収性物品が前記装着対象に前記排泄部を覆うように配置されると共に、該吸収性物品を覆うようにアウター部材が配置された状態において、
前記第１係止部は、前記装着対象に直接又は間接的に係止され、
前記第２係止部は、前記アウター部材に係止される請求項８に記載の吸収性物品。
【発明の詳細な説明】
【技術分野】
【０００１】
本発明は、吸収性物品を含む介護システム、吸収性物品を含む吸収性物品システム及びこれらシステムに用いられる吸収性物品に関する。
【背景技術】
【０００２】
従来、起き上がることが困難な寝たきりの老人等の要介護者から排泄される経血、尿、便等の排泄物の処理を行うものとして、オムツのような吸収性物品が知られている。このオムツ等の吸収性物品は、排泄された尿等の排泄物を該吸収性物品の外に漏れ出さないように保持するものである。
【０００３】
ここで、吸収性物品に保持された排泄物から臭いや菌が発生することで、人体への悪影響が生じる場合がある。また、排泄物が保持された吸収性物品を交換する作業は、介護をする者にとって大きな負担となっている。
【０００４】
これに対して、尿レシーバと、尿レシーバに接続される吸引管と、尿レシーバの外部に置かれる吸引機構とを備える介護システムが提案されている（例えば、特許文献１参照）。特許文献１に開示される介護システムによれば、要介護者から排泄される尿等の排泄物を尿レシーバが受けると共に、尿レシーバにより受けられた尿等は吸引機構により尿レシーバの外部に吸引される。これにより、要介護者から排泄された排泄物が外部に漏れ出さないようにすると共に、排泄物が尿レシーバに保持されることなく尿レシーバは清潔な状態で保持される。また、尿レシーバを長時間交換することなく要介護者に装着させることができる。
【０００５】
ここで、特許文献１の尿レシーバは、要介護者の胴回りに環状に配置される胴ベルト部と胴ベルトに連結される股間ベルト部とにより構成されるＴベルトの内側に配置される。具体的には、Ｔベルトにおける股間ベルト部の内側に配置されて取り付けられる。このため、尿レシーバを要介護者における身体の大きさ等に応じてフィットするよう装着させることができない場合があった。
【０００６】
また、従来の生理用ナプキンや尿レシーバにおいても、下着等への固定部として、該生理用ナプキンや尿レシーバ等における下着側の面に長手方向における一端側から他端側に連続的に形成される粘着部を有するものがある。このような粘着部を有する生理用ナプキンや尿レシーバ等を下着等に固定して使用した場合、下着等が身体の動きに追従しない場合には、この生理用ナプキンや尿レシーバが身体から離間して排泄物が漏れ出す場合があった。
【特許文献１】特開２００７−４４４９４号公報
【発明の開示】
【発明が解決しようとする課題】
【０００７】
本発明は、吸収性物品を含む介護システムであって、該吸収性物品が装着対象に装着された状態において、長手方向における一端側に装着対象側を向くように配置される係止部と、長手方向における他端側に装着対象と反対側を向くように配置される係止部とを有する吸収性物品を含むように構成される介護システムを提供することを目的の一つとする。
また、本発明は、吸収性物品を含む吸収性物品システムであって、該吸収性物品が装着対象に装着された状態において、長手方向における一端側に装着対象側を向くように配置される係止部と、長手方向における他端側に装着対象と反対側を向くように配置される係止部とを有する吸収性物品を含むように構成される吸収性物品システムを提供することを目的の一つとする。
また、本発明は、装着対象に装着された状態において、装着対象側であって長手方向における一端側に配置される係止部と、装着対象と反対側であって長手方向における他端側に配置される係止部とを有する吸収性物品を提供することを目的の一つとする。
【課題を解決するための手段】
【０００８】
（１）  排泄部を有する装着対象に前記排泄部を覆うように配置される縦長状の吸収性物品と、前記吸収性物品に接続され前記排泄部から排泄される液体を排出可能なチューブと、前記チューブに接続され前記吸収性物品から排出される前記液体を収容可能な容器と、前記チューブに直接又は間接的に連結され、前記液体を前記容器に送液させるポンプと、前記吸収性物品に配置され、該吸収性物品に前記液体が排泄されたことを検知するセンサと、前記吸収性物品に配置され前記センサによる検知結果情報を出力する出力端子と、前記出力端子に接続され前記検知結果情報が入力される入力端子と、前記入力端子に入力された前記検知結果情報により前記ポンプを制御する制御手段と、を備えるシステムであって、前記出力端子は、前記吸収性物品の長手方向における一端側に配置され、前記入力端子には、前記出力端子に接続された状態において前記装着対象側を向く第１係止部が配置され、前記吸収性物品における他端側には、該吸収性物品における前記装着対象側と反対側の面に第２係止部が配置される介護システム。
【０００９】
（２）  前記装着対象の外周に沿うように環状に配置される帯状部材と、前記吸収性物品を覆うように配置されるアウター部材と、を更に備え、前記第１係止部は、前記帯状部材に係止され、前記第２係止部は、前記アウター部材に係止される（１）に記載の介護システム。
【００１０】
（３）  （１）又は（２）に記載の介護システムに用いられる吸収性物品であって、前記排泄部から排泄される液体を排出可能なチューブが接続される接続部と、該吸収性物品に前記液体が排泄されたことを検知するセンサと、前記センサによる検知結果情報を出力する出力端子であって該吸収性物品の長手方向における一端側に配置される出力端子と、前記吸収性物品における他端側であって前記装着対象側と反対側の面に配置される第２係止部と、を備える吸収性物品。
【００１１】
（４）  前記出力端子には、第１係止部が配置される入力端子が接続可能であり、前記入力端子が前記出力端子に接続された状態において、前記第１係止部は、前記装着対象側を向いて配置される（３）に記載の吸収性物品。
【００１２】
（５）  排泄部を有する装着対象の外周に沿うように環状に配置される帯状部材と、前記装着対象に前記排泄部を覆うように配置される縦長状の吸収性物品と、前記吸収性物品を覆うように配置されるアウター部材と、前記吸収性物品の長手方向における一端側に連結され、前記帯状部材に係止される第１係止を有する係止部材と、を備えるシステムであって、前記吸収性物品の前記長手方向における他端側であって前記アウターシート側に配置される面には、前記アウター部材に係止される第２係止部が配置される吸収性物品システム。
【００１３】
（６）  前記係止部材は、前記吸収性物品の前記長手方向における一端側に前記第１係止部が前記帯状部材側を向くように連結され、前記第１係止部は、前記帯状部材に係止され、前記吸収性物品における第２係止部は、前記アウター部材に係止され、前記第２係止部により前記アウター部材に係止された吸収性物品は、前記装着対象に前記排泄部を覆うようにして配置され、前記アウター部材は、第２係止部材により該アウター部材に係止される吸収性物品を覆うようにして配置される（５）に記載の吸収性物品システム。
【００１４】
（７）  （５）又は（６）の吸収性物品システムに用いられる吸収性物品であって、該吸収性物品の長手方向における一方側の端部に配置され、前記第１係止部が前記装着対象側に配置されるよう前記係止部材が連結される連結部と、該吸収性物品の前記長手方向における他端側であって前記アウターシート側に配置され第２係止部と、を備える吸収性物品。
【００１５】
（８）  排泄部を有する装着対象に前記排泄部を覆うように配置される縦長状の吸収性物品であって、該吸収性物品は、装着状態において前記装着対象側に配置される第１面と、前記装着対象と反対側に配置される第２面とを有し、前記第１面における前記吸収性物品の長手方向における一端側には、第１係止部が配置され、前記第２面における前記長手方向の他端側には、第２係止部が配置される吸収性物品。
【００１６】
（９）  該吸収性物品が前記装着対象に前記排泄部を覆うように配置されると共に、該吸収性物品を覆うようにアウター部材が配置された状態において、前記第１係止部は、前記装着対象に直接又は間接的に係止され、前記第２係止部は、前記アウター部材に係止される（８）に記載の吸収性物品。
【００１７】
ここで、本発明における吸収性物品とは、液保持性を有する吸収体を有するものだけでなく、液体を機械的に吸収可能であるものを含む。
【００１８】
また、装着対象に間接的に係止とは、装着対象にフィットするように配置される被係止部材に係止される場合を含む意味である。
【発明の効果】
【００１９】
本発明によれば、吸収性物品を含む介護システムであって、該吸収性物品が装着対象に装着された状態において、長手方向における一端側に装着対象側を向くように配置される係止部と、長手方向における他端側に装着対象と反対側を向くように配置される係止部とを有する吸収性物品を含むように構成される介護システムを提供することができる。
また、本発明によれば、吸収性物品を含む吸収性物品システムであって、該吸収性物品が装着対象に装着された状態において、長手方向における一端側に装着対象側を向くように配置される係止部と、長手方向における他端側に装着対象と反対側を向くように配置される係止部とを有する吸収性物品を含むように構成される吸収性物品システムを提供することができる。
また、本発明によれば、装着対象に装着された状態において、装着対象側であって長手方向における一端側に配置される係止部と、装着対象と反対側であって長手方向における他端側に配置される係止部とを有する吸収性物品を提供することができる。
【発明を実施するための最良の形態】
【００２０】
図１は、介護システム１を説明する概略図を示す。図２（ａ）は、尿パッド１００の構造を説明する平面図を示し、図２（ｂ）は、図２（ａ）におけるセンサ部材１１０とセンサ部材１１０に取り付けられた入力端子２５０とを説明する平面図を示す。図３は、尿パッド１００の構造を説明する裏面図を示す。図４は、尿パッド１００の装着手順を説明する図を示す。図５は、尿パッド１００の装着手順を説明する図を示す。図６は、尿パッド１００の装着手順を説明する図を示す。図７は、尿パッド１００の装着状態を説明する図を示す。図８は、尿パッド１００Ａの構造を説明する平面図を示す。図９は、尿パッド１００Ａの構造を説明する裏面図を示す。
【００２１】
１  実施形態
図１から図７により本発明の実施形態における介護システム１について説明する。
【００２２】
１−１  介護システム
図１に示すように、介護システム１は、尿パッド１００を含む吸収性物品システム１０と、容器２００及びポンプ２１０を含む装置２０とを有する。
【００２３】
１−２  装置
装置２０は、容器２００と、ポンプ２１０と、ＣＰＵ２２０と、チューブ２３０と、配線２４０と、を有する。
容器２００は、尿パッド１００に排泄された尿等の液体を収容する樹脂製の容器である。具体的には、チューブ２３０を介して尿パッド１００に排泄された尿等の液体を収容する容器である。
【００２４】
ポンプ２１０は、尿パッド１００に排泄された尿等の液体をチューブ２３０を介して容器２００に送液させる。ポンプ２１０は、チューブ２３０と容器２００とを介して間接的に接続される。このポンプ２１０は、ＣＰＵ２２０からの指示に基づいて駆動される。具体的には、ポンプ２１０は、ＣＰＵ２２０からの指示に基づいて、容器２００内に空気を吸引する。これにより、尿パッド１００に排泄された尿等の液体は、チューブ２３０を介して容器２００の内部に吸引される。尿パッド１００に排泄された尿等の液体は、ポンプ２１０の駆動によりチューブ２３０を介して容器２００に送液される。
【００２５】
制御手段としてのＣＰＵ２２０は、後述する尿センサ部１１２からの検知結果情報としての所定信号に基づいてポンプ２１０を制御する。具体的には、ＣＰＵ２２０は、出力端子部１１５から出力される尿センサ部１１２が排尿を検知したことを知らせる検知信号を受信することで、ポンプ２１０を駆動させる。
【００２６】
チューブ２３０は、柔軟に変形可能な管状の部材である。チューブ２３０は、尿パッド１００と容器２００とをつなぐように配置される。具体的には、チューブ２３０は、尿パッド１００に排泄された尿等の液体を容器２００に送液可能に接続される。詳細には、チューブ２３０は、尿パッド１００における後述するチューブ接続部１２１に接続されると共に、容器２００における開孔に挿入されて接続される。
【００２７】
配線２４０は、センサ部材１１０とＣＰＵ２２０とを電気的に接続する。具体的には、センサ部材１１０の一端に形成される出力端子としての出力端子部１１５と接続される後述する入力端子２５０及び配線２４０を介してＣＰＵ２２０に接続される。配線２４０は、センサ部材１１０の出力端子部１１５から出力される検知信号等の信号をＣＰＵ２２０に伝える経路として機能する。
【００２８】
入力端子２５０は、配線２４０の一端側に配置され、後述する出力端子部１１５に電気的に接続される。具体的には、入力端子２５０は、出力端子部１１５を挟み込むようにして取り付けられ、入力端子２５０に形成される不図示のコネクト部と、出力端子部１１５に形成される各コネクト部とが当接されることで電気的に接続される。
【００２９】
また、図２（ａ）（ｂ）に示すように、入力端子２５０における一方の面側には、第１係止部２５１が配置される。入力端子２５０が出力端子部１１５に取り付けられた状態において、第１係止部２５１は、尿パッド１００の長手方向における一端側に配置される。そして、尿パッド１００を身体に装着した状態において、第１係止部２５１は、身体の前面側に配置されると共に身体側を向くように配置される。更に具体的には、第１係止部２５１は、身体の胴回りに配置された帯状部材３００における身体の前面側に配置される部分に係止される。尿パッド１００は、身体に密着して配置される帯状部材３００に係止される。つまり、入力端子２５０は、出力端子部１１５から出力される検知信号等の入力部として機能すると共に、尿パッド１００を帯状部材３００に係止する係止部材として機能する。
【００３０】
１−３  吸収性物品システム
吸収性物品システム１０は、吸収性物品としての尿パッド１００と、帯状部材３００と、アウター部材４００とを有する。具体的には、吸収性物品システム１０は、尿パッド１００の装着対象としての身体における胴周りに環状となるように配置される帯状部材３００と、長手方向における一端側が帯状部材３００に係止されると共に排泄部を覆うようにして身体に装着された尿パッド１００と、尿パッド１００を覆うように配置されるアウター部材４００とを有する。
【００３１】
帯状部材３００は、等幅の帯状であって伸縮可能な部材である。本実施形態において、帯状部材３００は伸縮性を有するシートである。この帯状部材３００における一端側には、係止部材が配置される。図４から図７に示すように、帯状部材３００は、胴回りに沿って環状になるように配置される。この状態において、係止部材が帯状部材３００の他端側に係止されて、該帯状部材３００は環状を維持した状態で胴回りに沿うようにして装着される。帯状部材３００は繊維を含んで構成されてよい。この場合、後述する第１係止部２５１としてフック材が好適に用いられる。また、帯状部材３００は、非伸縮性シートにより構成されていてもよい。
【００３２】
尿パッド１００は、装着状態において身体側に配置される第１面１０１と、身体と反対側に配置される第２面１０２とを有する縦長状の吸収性物品である。ここで、本発明において、吸収性物品とは、液保持性の吸収体を有するものだけでなく、機械的に液体を吸収するものを含む。具体的には、本実施形態における装置２０により液体が外部に取り出される尿パッド１００も吸収性物品に含まれる。
【００３３】
また、尿パッド１００は、第１面１０１側に配置される液透過性の表面シート部１０５と、第２面１０２側に配置される液不透過性の裏面シート部１０６と、排尿及び排便を検知するセンサ部材１１０と、排出された尿を捕集する捕集部１２０と、第２面１０２に配置される第２係止部２５２とを有する。
【００３４】
表面シート部１０５は、尿パッド１００における第１面１０１側に配置される液透過性シートにより構成される。表面シート部１０５は、尿パッド１００の幅方向Ｙにおける中央部に長手方向Ｘに延びるように配置される。表面シート部１０５は、尿パッド１００が身体に装着された状態において排泄部に当接する位置に配置されると共に、排泄部から排泄される尿等の液体を透過させる。表面シート部１０５は、尿パッド１００の長手方向Ｘにおける両端部近傍には配置されない。尿パッド１００の長手方向Ｘにおける両端には、後述する第１シート１６１及び第２シート１６２それぞれが配置される。
【００３５】
表面シート部１０５における幅方向Ｙの両側には、ギャザー１５８、１５８が形成される。ギャザー１５８、１５８は、尿パッド１００を身体に装着した状態において、身体側に立ち上がるように変形してそけい部に当接配置される。これにより、排泄部から排泄された尿等の液体が漏れ出すことが抑制される。
【００３６】
上述のように、尿パッド１００の前方縁１８０側には第１シート１６１が配置され、後方縁１９０側には第２シート１６２が配置される。
第１シート１６１は、液不透過性シートにより構成され、センサ部材１１０における出力端子部１１５側を覆うように配置される。第１シート１６１は、尿パッド１００の前方縁１８０側においては、裏面シート部１０６と接合されていない。つまり、第１シート１６１と裏面シート部１０６とを互いに離間させることで、センサ部材１１０の端部に形成される出力端子部１１５が露出される。
【００３７】
第２シート１６２は、液不透過部１６２ａと液透過部１６２ｂとを有する。第２シート１６２は、液不透過部１６２ａにおける後方縁１９０側の端部近傍において裏面シート部１０６及びセンサ部材１１０に接合される。そして、接合されていない液不透過部１６２ａの下面にはクッション部材１７０が配置される。クッション部材１７０は、使用時におけるクッションとして機能すると共に、液不透過部１６２ａの長手方向Ｘにおける前方縁１８０側を表面シート部１０５から離間させる部材として機能する。このようにクッション部材１７０により前方縁１８０側が表面シート部１０５から離間されると共に後方縁１９０側が接合された液不透過部１６２ａは、後方縁１９０側に流れてくる尿等の液体を堰き止める。
【００３８】
液透過部１６２ｂは、液透過性シートにより構成され、第２シート１６２における後方縁１９０側に配置される。液透過部１６２ｂは、尿等の液体は流れてこない領域であって、便が排出される領域に配置される。液透過部１６２ｂの下面には、センサ部材１１０における後述する便センサ部１１３が配置される。
【００３９】
図３に示すように、裏面シート部１０６は、液不透過性シートにより構成され、第２面１０２全体を構成するように配置される。裏面シート部１０６は、排泄部から排泄された尿等の液体の透過を防ぐと共に、後述する捕集部１２０に尿等の液体を導くように機能する。この裏面シート部１０６における後方縁１９０側には、第２係止部１３０が配置される。
【００４０】
図２（ａ）（ｂ）に示すように、センサ部材１１０は、出力端子部１１５と、尿センサ部１１２と、便センサ部１１３とを有する。出力端子部１１５は、センサ部材１１０における前方縁１８０側の端部に形成される。尿センサ部１１２は、センサ部材１１０の長手方向Ｘにおける中央部から後方縁１９０の間に形成される。また、尿センサ部１１２は、捕集部１２０の近傍であって前方縁１８０側に配置される。便センサ部１１３は、センサ部材１１０における後方縁１９０側の端部に形成される。
【００４１】
センサ部材１１０は、ポリエチレンフィルム等の可撓性であるフィルム１１０ａに導電性塗料を印刷して形成される。具体的には、フィルム１１０ａにおける一方の面に電極１１６ａ、１１６ｂ及び電極１１７ａ、１１７ｂを形成するよう導電性塗料を塗布すると共に、電極１１６ａ、１１６ｂ及び電極１１７ａ、１１７ｂを覆うようフィルム１１０ｂを積層配置することで形成される。
【００４２】
電極１１６ａ、１１６ｂそれぞれは、出力端子部１１５を構成する第１コネクト部１１５ａ、１１５ｂと、尿センサ部１１２を構成する第１極部１１２ａ、１１２ｂとを有する。第１コネクト部１１５ａ、１１５ｂそれぞれは、電極１１６ａ、１１６ｂそれぞれの長手方向Ｘにおける一端側に形成される。第１極部１１２ａ、１１２ｂは、電極１１６ａ、１１６ｂそれぞれの長手方向Ｘにおける他端側に形成される。
【００４３】
電極１１７ａ、１１７ｂそれぞれは、出力端子部１１５を構成する第２コネクト部１１５ｃ、１１５ｄと、便センサ部１１３を構成する第２極部１１３ａ、１１３ｂとを有する。第２コネクト部１１５ｃ、１１５ｄは、電極１１７ａ、１１７ｂそれぞれの長手方向Ｘにおける一端側に形成される。第２極部１１３ａ、１１３ｂは、電極１１７ａ、１１７ｂそれぞれの長手方向Ｘにおける他方側に形成される。
【００４４】
出力端子部１１５は、上述の通り、センサ部材１１０の長手方向Ｘにおける前方縁１８０側に形成される。出力端子部１１５は、不使用時には第１シート１６１及び裏面シート部１０６により覆われ、使用時には外部に露出されるよう構成される。
【００４５】
出力端子部１１５は、尿センサ部１１２と電気的に接続される第１コネクト部１５０ａ、１５０ｂと、便センサ部１１３と電気的に接続される第２コネクト部１５０ｃ、１５０ｄとを有する。フィルム１１０ｂにおける第１コネクト部１５０ａ、１５０ｂそれぞれと、第２コネクト部１５０ｃ、１５０ｄそれぞれとに対応する位置には、開口が形成される。つまり、センサ部材１１０において、第１コネクト部１５０ａ、１５０ｂと、第２コネクト部１５０ｃ、１５０ｄとは外部に露出される。
【００４６】
外部に露出された第１コネクト部１１５ａ、１５０ｂと、第２コネクト部１５０ｃ、１５０ｄとは、入力端子２５０に形成される不図示の各コネクト部それぞれに当接して電気的に接続される。これにより、第１コネクト部１１５ａ、１５０ｂと、第２コネクト部１５０ｃ、１５０ｄとから出力される検知信号等は、入力端子２５０に配置される各コネクタを介してＣＰＵ２２０に出力される。
【００４７】
尿センサ部１１２は、第１極部１１２ａ、１１２ｂを有する。フィルム１１０ｂにおける第１極部１１２ａ、１１２ｂそれぞれに対応する位置には、開口が形成される。つまり、センサ部材１１０において、第１極部１１２ａ、１１２ｂそれぞれは、外部に露出される。
【００４８】
尿センサ部１１２は、該尿センサ部１１２を構成する第１極部１１２ａ、１１２ｂが互いに電気的に接続されることで排尿を検知する。具体的には、排出された尿により第１極部１１２ａと第１極部１１２ｂとが電気的に接続されることで、排尿を検知する。
【００４９】
尿センサ部１１２は、排泄された尿等の液体が集まる捕集部１２０の入口近傍に配置されるので、排出された尿等の液体は尿センサ部１１２を通って捕集部１２０に捕集される。このように排泄された尿等の液体が通液することで、尿センサ部１１２を構成する第１極部１１２ａ、１１２ｂ同士が電気的に接続されることで、排尿が検知される。
【００５０】
第１極部１１２ａ、１１２ｂが電気的に接続されることで、尿センサ部１１２から検知結果情報としての検知信号が出力される。この検知信号は、第１コネクト部１５０ａ、１５０ｂから出力され、入力端子２５０及び配線２４０を介してＣＰＵ２２０に入力される。検知信号が入力されることで、ＣＰＵ２２０はポンプ２１０を駆動させる。
【００５１】
便センサ部１１３は、第２極部１１３ａ、１１３ｂを有する。フィルム１１０ｂにおける第２極部１１３ａ、１１３ｂそれぞれに対応する位置には、開口が形成される。つまり、センサ部材１１０において、第２極部１１３ａ、１１３ｂそれぞれは、外部に露出される。
【００５２】
便センサ部１１３は、該便センサ部１１３を構成する第２極部１１３ａ、１１３ｂが互いに電気的に接続されることで排便を検知する。具体的には、排出された便に含まれる水分により第２極部１１３ａと第２極部１１３ｂとが電気的に接続されることで、排尿を検知する。
【００５３】
便センサ部１１３は、尿が流れてこず、かつ、便が排泄される位置に配置される。また、便センサ部１１３の上面には、第２シート１６２における液透過部１６２ｂが配置される。つまり、排泄部から便が液透過部１６２ｂ上に排出された場合、便センサ部１１３を構成する第２極部１１３ａ、１１３ｂ同士が便に含まれる水分により電気的に接続され、排便が検知される。
【００５４】
第２極部１１３ａ、１１３ｂが電気的に接続されることで、便センサ部１１３から検知結果情報としての検知信号が出力される。この検知信号は、第２コネクト部１５０ｃ、１５０ｄから出力され、入力端子２５０及び配線２４０を介してＣＰＵ２２０に入力される。検知信号が入力された場合、ＣＰＵ２２０は排便がなされたことを知らせる不図示のランプを点灯させる。
【００５５】
捕集部１２０は、尿パッド１００の長手方向Ｘにおける中央部から後方縁１９０の間に収納配置される。捕集部１２０は、第１面１０１側が開口した直方体状であり、第２面１０２側に位置する底面から第１面１０１側に突出する突起部が複数形成された柔軟な樹脂性の部材である。この複数の突起部により捕集部１２０が体圧により潰れることが抑制され、流れてくる尿を好適に捕集する。尿は、第１面１０１側の開口から捕集部１２０の内部に流入する。
【００５６】
捕集部１２０の底面には、該底面を貫通する通液路を有するチューブ接続部１２１が形成される。チューブ接続部１２１には、チューブ２３０が通液可能に連結される。そして、チューブ２３０と間接的に連結されるポンプ２１０が駆動することで、捕集部１２０に捕集された尿は容器２００に吸引される。
【００５７】
第２係止部１３０は、尿パッド１００の第２面１０２側に配置される。具体的には、第２面１０２における後方縁１９０側に配置される。更に具体的には、第２係止部１３０は、幅方向Ｙに長い長方形のフック材で構成されると共に、後方縁１９０の近傍に配置される。この第２係止部１３０は、アウター部材４００の内面に係止される。
【００５８】
アウター部材４００は、オムツ様の部材である。アウター部材４００は、尿パッド１００が身体に装着された状態において、その外側を覆うように配置される部材である。アウター部材４００における内面には、尿パッド１００の第２面１０２における後方縁１９０側に配置される第２係止部１３０が係止される。アウター部材４００は、尿パッド１００から漏れ出した排泄物が外部に漏れ出さないようにする部材として機能すると共に、尿パッド１００の被係止体として機能する。
【００５９】
１−４  装着手順及び装着状態
図４から図７により、尿パッド１００（吸収性物品システム）の装着状態及び装着手順について説明する。
まず、図４に示すように、帯状部材３００を身体の胴回りに沿うようにして装着する。帯状部材３００の一端側に配置される不図示の係止部材により、帯状部材３００を環状の状態にして装着する。そして、床面に広げたアウター部材４００上に、帯状部材３００を装着した装着者を仰向けになるようにして寝かせる。
【００６０】
次いで、図５に示すように、出力端子部１１５に入力端子２５０が取り付けられた状態の尿パッド１００を排泄部を覆うようにして身体に装着する。具体的には、まず、出力端子部１１５に取り付けられた入力端子２５０に配置される第１係止部２５１を帯状部材３００の表面に係止させる。次いで、帯状部材３００に係止された第１係止部２５１を起点として尿パッド１００の装着位置を調整する。そして、尿パッド１００の第２面１０２における後方縁１９０側に配置された第２係止部１３０をアウター部材４００の内面に係止させる。ここで、第２係止部１３０は、装着者の後面側における排泄部から近い位置に係止される。ここで、チューブ２３０及び配線２４０は、身体の前面側から延出するよう配置される。
【００６１】
続けて、図６及び図７に示すように、排泄部を覆うように配置された尿パッド１００を覆うようにアウター部材４００を装着する。具体的には、アウター部材４００は、第１係止部２５１により帯状部材３００に係止されると共に、第２係止部１３０によりアウター部材４００の内面に係止された尿パッド１００を覆うように装着される。このようにして装着された尿パッド１００（吸収性物品システム）は、アウター部材４００と身体（帯状部材３００）の動きに追従する。このように装着されたアウター部材４００は、尿パッド１００の第２係止部１３０が内面に係止された状態を維持すると共に、排泄物の漏れを防止する。
【００６２】
１−５  効果
本実施形態によれば、尿パッド１００の装着を容易にすることができる。本実施形態における尿パッド１００によれば、従来の尿パッドのように装着者の体を大きく動かすことなく装着することができる。また、本実施形態における尿パッド１００によれば、第２係止部の位置を容易に再調整することができる。
【００６３】
また、本実施形態によれば、尿パッド１００を装着対象者における身体の大きさに関係なく好適な状態で装着させることができる。
【００６４】
また、本実施形態によれば、身体のぴったりと装着される着衣を装着しなくても、身体の動きに追従するように尿パッド１００を装着することができる。
【００６５】
また、本実施形態によれば、介護に用いられる尿パッド１００を小型化することができる。具体的には、尿パッド１００における長さを短くすることができる。
【００６６】
また、本実施形態によれば、尿パッド１００の外側にアウター部材を装着することで、第２係止部により尿パッド１００を係止できると共に、尿パッド１００から漏れでた排泄物が外部に漏れ出すことを抑制できる。
【００６７】
２  第２実施形態
図８及び図９により、第２実施形態における尿パッド１００Ａについて説明する。
図８及び図９に示すように、本実施形態における尿パッド１００Ａは、第１係止部が尿パッド１００Ａに配置される点で第１実施形態の尿パッド１００（吸収性物品システム）と相違する。以下、尿パッド１００Ａにつき、第１実施形態における尿パッド１００との相違点を中心に説明する。
【００６８】
図８に示すように、尿パッド１００Ａにおける第１面１０１の前方縁１８０側には、第１係止部２５１Ａが配置される。第１実施形態における尿パッド１００は、出力端子部１１５に取り付けられた入力端子２５０に配置される第１係止部２５１により、上述の帯状部材３００に係止されるが、本実施形態における尿パッド１００Ａは、該尿パッド１００Ａ自体に配置される第１係止部２５１Ａにより、帯状部材３００等に係止される点で相違する。
【００６９】
図９に示すように、尿パッド１００Ａにおける第２面１０２の後方縁１９０側には、第２係止部１３０Ａが配置される。つまり、本実施形態における尿パッド１００Ａは、長手方向Ｘにおける両端側に配置される係止部を有する。前方縁１８０側の係止部は第１面１０１側に配置され、後方縁１９０側の係止部は第２面１０２側に配置される。
【００７０】
ここで、本実施形態における尿パッド１００Ａも上述の第１実施形態における尿パッド１００と同様の手順で装着される。また、本実施形態における尿パッド１００Ａも第１実施形態における尿パッド１００と同様の作用効果を奏する共に、第１係止部を有する係止部材を取り付けることなく装着可能であるという効果を奏する。
【００７１】
３  その他
表面シート部１０５は、多数の液透過孔が形成された樹脂フィルム、多数の網目を有するネット状シート部、液透過性の不織布、又は織布などで形成される。前記樹脂フィルムやネット状シート部は、ポリプロピレン（ＰＰ）、ポリエチレン（ＰＥ）、ポリエチレンテレフタレート（ＰＥＴ）などで形成されたものを使用できる。また不織布としては、レーヨンなどのセルロース繊維、合成樹脂繊維などから形成されたスパンレース不織布、前記合成樹脂繊維で形成されたエアースルー不織布などを用いることができる。また、素材として、ポリ乳酸、キトサン、ポリアルギン酸などの生分解性が可能な天然物を用いることもできる。また、多数の液透過孔を形成すると共に、シリコーン系やフッ素系の撥水性油剤を塗布して、その外面に体液が付着しにくいものとしてもよい。
【００７２】
裏面シート部１０６は、尿等の排泄物が外へ漏れ出すのを防止できる材料が使用される。また、裏面シート部１０６を透湿性素材とすることにより、装着時のムレを低減させることができ、装着時における不快感を低減させることが可能となる。このような材料としては、例えば、ポリエチレン（ＰＥ）、ポリプロピレン（ＰＰ）等を主体とした液不透過性フィルム、通気性フィルム、スパンボンドなどの不織布の片面に液不透過性フィルムをラミネートした複合シートなどが挙げられる。好ましくは、疎水性の不織布、不透水性のプラスティックフィルム、不織布と不透水性プラスティックフィルムとのラミネートシート等を用いることができる。また、耐水性の高いメルトブローン不織布や強度の強いスパンボンド不織布で挟んだＳＭＳ不織布でもよい。
【００７３】
捕集部１２０は、軟質ポリエチレンやシリコンゴム等の軟質弾性材料を用いて製造することができる。例えば、上述の材料を射出成形等によって所定形状に成型することで捕集部１２０を製造することができる。
【００７４】
また、上述の実施形態において、第１係止部及び第２係止部はフック材により構成されるが、これに限定されず、粘着材等のシートや身体に係止可能な部材を適宜用いることができる。
【００７５】
また、上述の実施形態において、吸収性物品として尿パッドの場合を説明しているが、これに限定されず、オムツや生理用ナプキン等であってもよい。
【００７６】
また、上述の実施形態において、アウター部材はオムツ様の部材であるが、これに限定されず、着衣であってもよい。
【００７７】
また、第２実施形態において、第１実施形態と同様に介護システム１に用いられる尿パッドの場合を説明しているが、これに限定されず、通常の吸収性物品であってもよい。
【図面の簡単な説明】
【００７８】
【図１】介護システム１を説明する概略図を示す。
【図２】（ａ）は尿パッド１００の構造を説明する平面図を示し、（ｂ）は（ａ）におけるセンサ部材１１０とセンサ部材１１０に取り付けられた入力端子２５０とを説明する平面図を示す。
【図３】尿パッド１００の構造を説明する裏面図を示す。
【図４】尿パッド１００の装着手順を説明する図を示す。
【図５】尿パッド１００の装着手順を説明する図を示す。
【図６】尿パッド１００の装着手順を説明する図を示す。
【図７】尿パッド１００の装着状態を説明する図を示す。
【図８】尿パッド１００Ａの構造を説明する平面図を示す。
【図９】尿パッド１００Ａの構造を説明する裏面図を示す。
【符号の説明】
【００７９】
１      介護システム
１０    吸収性物品システム
２０    装置
１００  尿パッド
１３０  第２係止部
２００  容器
２１０  ポンプ
２２０  ＣＰＵ
２３０  チューブ
２４０  配線
２５０  入力端子
２５１  第１係止部
３００  帯状部材
４００  アウター部材
【図１】
2008272047.tif 000003
【図２】
2008272047.tif 000004
【図３】
2008272047.tif 000005
【図４】
2008272047.tif 000006
【図５】
2008272047.tif 000007
【図６】
2008272047.tif 000008
【図７】
2008272047.tif 000009
【図８】
2008272047.tif 000010
【図９】
2008272047.tif 000011